(57)【特許請求の範囲】
【請求項１】
読み書き装置によって金額情報が読み書きされるＩＣチップと、磁気ストライプとを備えたＩＣカードを発行するために、前記読み書き装置との間で通信可能に構成された発行システムであって、
クレジットによる金銭支払いの対象者を特定するためのクレジット情報を前記磁気ストライプに記録するとともに、プリペイドされた金額情報と前記磁気ストライプに記録されているクレジット情報とを前記ＩＣチップヘ書き込みを行うことによりＩＣカードを生成するＩＣカード生成手段と、
前記ＩＣカード生成手段によって生成されたＩＣカードを特定するＩＤ番号と前記金額情報と前記クレジット情報とを登録して管理するＩＣカード情報管理手段と
を備え、
前記ＩＣカード情報管理手段は、
前記クレジット情報に記録されたクレジットの有効期限に基づいて更新ＩＣ力ードが発行された後は、金額情報のチャージ残高データを更新ＩＣカードのＩＣチップへ書き込めるように前記読み書き装置へ通知し、
前記更新ＩＣカード及び旧ＩＣカードが前記読み書き装置によって読み書きされたときに、旧ＩＣカードのＩＣチップに格納されている金額情報を前記更新ＩＣカードのＩＣチップに転送することを特徴とするＩＣカードの発行システム。
【請求項２】
前記ＩＣカード情報管理手段は、
前記ＩＣカードが紛失されたとき、前記クレジット情報に基づいて該ＩＣカードを無効化するように前記読み書き装置へ通知すると共に、該ＩＣチップに格納されている金額情報およびクレジット情報の少なくとも一方を、前記クレジット情報に基づいて再発行されたＩＣカードのＩＣチップヘ転送するように前記読み書き装置へ通知することを特徴とする請求項１に記載のＩＣカードの発行システム。
【請求項３】
前記ＩＣカード情報管理手段は、
前記ＩＣカードが有効期限内に解約されたとき、前記ＩＣチップに格納されているクレジット情報に基づいて、該ＩＣチップに格納されている金額情報を払い戻し金額として換金可能にすることを特徴とする請求項１または請求項２に記載のＩＣカードの発行システム。
【発明の詳細な説明】
【０００１】
【発明の属する技術分野】
本発明は、プリペイド機能とクレジット機能を有するＩＣカード及びこのＩＣカードの発行システムに関するものであり、より詳細には、乗車料金をプリペイドするための金額情報と、クレジットによって金額情報を入金処理および決済するためのクレジット情報とがＩＣチップに書き込まれたＩＣカード及びこのＩＣカードの発行システムに関するものである。
【０００２】
【従来の技術】
最近、鉄道会社などにおいて、サイクル使用できるＩＣカードを用いた自動改札システムが利用され始めている。このようなＩＣカードは、たとえば、乗車券についてのプリペイド金額情報が書き込まれた『Ｓｕｉｃａ（登録商標）』などと呼ばれ、定期券やプリペイド型の乗車券として広く普及し始めている。このようなＩＣカードを乗車券として利用する場合には、あらかじめＩＣカードに所定の金額情報をチャージ（入金処理）しておけば、このＩＣカードを自動改札機の読取部に触れることによってＩＣカードにチャージされている金額情報が読み取られ、このＩＣカードにチャージされている金額情報から乗車料金が相殺されて行くので、プリペイド型の乗車券として極めて便利なカードである。このようなＩＣカードに金額情報をチャージする場合は、通常、カード発売機や乗越し精算機などの読み書き装置にＩＣカードと所定の金額を投入すれば、ＩＣカードに所定の金額情報が書き込まれてチャージが行われる。
【０００３】
また、最近は磁気ストライプやＩＣチップに顧客情報が記録されたクレジットカードを利用してＩＣカードヘ所定の金額情報をチャージするカードシステムも実現している。たとえば、ＩＣカードを流通させている鉄道会社自身が発行している『ビューカード（登録商標）』と呼ばれるクレジットカードによってＩＣカードに金額情報をチャージすることができるような、クレジット機能に対応したプリペイド型のＩＣカードも利用され始めている。
【０００４】
【発明が解決しようとする課題】
このように、ＩＣカードを新規に購入したりＩＣカードに金額情報をチャージする場合は、現金又はクレジットカードのみによる処理に限られている。特に、クレジットカードを用いて、マルスシステム（登録商標）と呼ばれる乗車券予約システムの端末機器やカード発売機などの駅務機器によってＩＣカードを購入したりＩＣカードに金額情報をチャージしたりする場合は、顧客は、あらかじめクレジットカードの新規申込みを行って通常の審査を経て登録手続きをした後に、郵送などによってクレジットカードを取得しておく必要がある。その後、顧客は、ＩＣカードと決済手段であるクレジットカードとの２枚のカードを駅員などに提示し、駅の端末機器などの読み書き装置によってＩＣカードヘ金額情報を書き込んでもらう。または、顧客自身が、カード発売機へＩＣカードとクレジットカードの２枚のカードを挿入して、ＩＣカードヘ金額情報を書き込む必要がある。当然、このときクレジットカードによって決済処理が行われる。
【０００５】
つまり、顧客がクレジットカードによってＩＣカードヘ金額情報のチャージを行う場合には、顧客はＩＣカードとクレジットカードの二種類のカードを用意しなければならないので、カードの使い勝手がよくないなどの不具合がある。そこで、今白のキャッシュレス・電子マネー等の新しい決済サービスを実現するために、乗車券のプリペイド機能とキャッシュレスで金額情報のチャージができるクレジット機能とを一枚のカードによって実現することができるカードシステムが望まれている。しかし、現在の技術においては、乗車券のプリペイド機能とクレジットカードによってプリペイドする金額情報をチャージするクレジット機能とを一体化できるようなＩＣカードは未だ開発されていない。
【０００６】
本発明は、上述の課題に鑑みてなされたもので、その目的とするところは、一枚のカードに乗車券のプリペイド機能とキャッシュレスで金額情報をチャージしたり決済したりするクレジット機能とを備えているＩＣカードを提供することにある。より具体的には、乗車券をプリペイドする金額情報とキャッシュレスで金額情報をチャージしたり決済したりするプリペイド情報とを読み書きできるＩＣチップを備えたＩＣカードを提供することにある。さらには、このＩＣカードを発行するためのＩＣカードの発行システムを提供することにある。
【０００７】
【課題を解決するための手段】
上記の目的を達成するため、本発明のＩＣカードは、プリペイドされた金額情報を格納するＩＣチップと、クレジットによる金銭支払いの対象者を特定するためのクレジット情報を記録する磁気ストライプとを備えたＩＣカードにおいて、ＩＣチップが磁気ストライプに記録されているクレジット情報と同一内容のクレジット情報を格納していることを特徴とする。また、本発明のＩＣカードにおいては、ＩＣチップに格納されている金額情報は、ＩＣチップに格納されているクレジット情報に基づいて更新および決済を行うことができることを特徴とする。
【０００８】
つまり、本発明のＩＣカードによれば、ＩＣチップ内に、プリペイドされた金額情報とＩＣカードの利用者を特定するクレジット情報を格納しているので、一枚のＩＣカードだけで金銭情報とクレジット情報をリンクすることができる。したがって、従来のようにプリペイドカードとしてのＩＣカードとクレジットカードの二枚を使う必要がなくなるので、簡単な操作によってクレジットによる金額情報のチャージあるいは、必要に応じてプリペイド金額の返金を行うことができる。
【０００９】
また、本発明のＩＣカードにおいては、ＩＣチップに格納されている金額情報は、クレジット情報に記録されたクレジットの有効期限に基づいて更新ＩＣカードが発行された後は、任意の時期に、更新ＩＣカードのＩＣチップヘ転送可能であることを特徴とする。つまり、本発明のＩＣカードによれば、有効期限近くに旧ＩＣカードと更新されたＩＣカードが併存するが、顧客が任意の時期に両ＩＣカードを読み書き装置に挿入すれば、旧ＩＣカードのＩＣチップに記録されている金額情報の残高は、更新されたＩＣカードのＩＣチップヘ転送されてチャージされる。
【００１０】
また、本発明のＩＣカードにおいては、紛失されたＩＣカードはＩＣチップに格納されているクレジット情報に基づいて無効化されると共に、ＩＣチップに格納されている金額情報およびクレジット情報は、クレジット情報に基づいて再発行されたＩＣカードのＩＣチップヘ転送されることを特徴とする。つまり、本発明のＩＣカードによれば、プリペイド型のＩＣカードにクレジット機能が一体化されているので、ＩＣカードを紛失したときには、クレジット機能の利用停止を行うことによってＩＣカードのチャージ残高を保障することができる。
【００１１】
また、本発明のＩＣカードにおいては、ＩＣカードが有効期限内に解約されたときは、ＩＣチップに格納されている金額情報は、ＩＣチップに格納されているクレジット情報に基づいて、相当する払い戻し金額として返金可能であることを特徴とする。つまり、本発明のＩＣカードによれば、途中で解約したときは、所定の手続きを経れば手数料金額などが差し引かれた金額を金融機関のＡＴＭなどによって払い戻すことができる。
【００１２】
また、本発明のＩＣカードにおいては、ＩＣチップに格納されている金額情報は、乗車料金をプリペイドするための金額情報であることを特徴とする。つまり、本発明のＩＣカードは、鉄道会社などにおいてリサイクル使用できるクレジット機能付のＩＣカードとして広く利用することができる。
【００１３】
また、本発明のＩＣカードの発行システムは、プリペイドされた金額情報を格納するＩＣチップと、クレジットによる金銭支払いの対象者を特定するためのクレジット情報を記録する磁気ストライプとを備えたＩＣカードの発行システムにおいて、クレジット情報を登録して磁気ストライプに記録するクレジット情報登録手段と、新規のカードにＩＣチップを搭載すると共に、プリペイドされた金額情報と磁気ストライプに記録されているクレジット情報をＩＣチップヘ格納してＩＣカードを生成するＩＣカード生成手段と、ＩＣカード生成手段によって生成されたＩＣカードを特定するＩＤ番号と金額情報とクレジット情報とを登録して管理するＩＣカード情報管理手段とを備えることを特徴とする。
【００１４】
また、本発明のＩＣカードの発行システムにおいては、ＩＣカード情報管理手段は、クレジット情報に記録されたクレジットの有効期限に基づいて更新ＩＣカードが発行された後は、更新ＩＣカードが読み書き手段によって読み書きされたときに、ＩＣチップに格納されている金額情報を更新ＩＣカードのＩＣチップヘ転送するように読み書き手段へ通知することを特徴とする。これによって、顧客が任意の時期に旧ＩＣカードと更新ＩＣカードを読み書き装置に挿入すれば、旧ＩＣカードに記録されている金額情報の残高は、更新ＩＣカードヘ転送されてチャージすることができる。
【００１５】
また、本発明のＩＣカードの発行システムにおいては、ＩＣカード情報管理手段は、ＩＣカードが紛失されたとき、クレジット情報に基づいてＩＣカードを無効化するように読み書き手段へ通知すると共に、ＩＣチップに格納されている金額情報およびクレジット情報を、クレジット情報に基づいて再発行されたＩＣカードのＩＣチップヘ転送するように読み書き手段へ通知することを特徴とする。これによって、紛失されたＩＣカードを他人に使用されるおそれはなくなるし、紛失されたＩＣカードにチャージされていた金額情報は再発行されたＩＣカードヘ転送されるので、ＩＣカードの所持者が損害をこうむることはなくなる。
【００１６】
また、本発明のＩＣカードの発行システムにおいては、ＩＣカード情報管理手段は、ＩＣカーいが有効期限内に解約されたときは、ＩＣチップに格納されているクレジット情報に基づいてＩＣチップに格納されている金額情報を払い戻し金額として換金可能にすることを特徴とする。これによって、顧客がＩＣカードを途中で解約したときは、ＩＣカードの残高の全てまたは一部を金融機関のＡＴＭなどによって払い戻すことができる。
【００１７】
【発明の実施の形態】
以下、図面を用いて、本発明におけるＩＣカードの実施の形態を詳細に説明する。本発明のＩＣカードを発行する前提条件としては、ＩＣカードは通常のクレジットカードの審査手続きで発行することができることと、顧客がＩＣカード定期券を所有していないことである。つまり、顧客が通常のクレジットカードの入会審査手続きによって磁気ストライプに顧客情報の記録されたクレジットカードを取得すれば、顧客が本発明のＩＣカードを発行してもらうためには、自己が所持しているクレジットカードを駅員などに提出し、そのクレジットカードにＩＣチップを搭載して所定の金額情報を書き込んでもらえばよい。このとき、磁気ストライプに記録されている顧客情報はＩＣチップにコピーして記録される。これによって、ＩＣカードのクレジット情報は磁気ストライブとＩＣチップの何れからでも読み取ることができる。このようにしてクレジットカードの機能とプリペイドカードの機能とを備えたＩＣカードを実現することができるので、ＩＣチップに書き込まれた金額情報をクレジットでチャージしたり決済したりすることができる。
【００１８】
先ず、顧客に対してクレジット機能を備えたＩＣカードを新規に発行するときの処理の流れを説明する。図１は、顧客に対してクレジット機能を備えたＩＣカードを新規に発行する場合の処理の流れを示すシステムフロー図である。図１において、クレジット機能を備えたＩＣカードを新規に発行する場合のシステムは、クレジットカードの入会手続きを行う顧客１と、通常のクレジットカードの入会審査を行うクレジットカードシステム２と、プラスチックカードなどにＩＣチップを搭載して情報の記録されていない生カードを生成した後に、磁気ストライプにクレジット情報を書き込んだり、ＩＣチップにクレジット情報や金額情報やＩＤ番号などのＩＣカード情報を書き込んでＩＣカードの発行を行うカードベンダ３と、カードベンダ３から取得した生カードの一枚ごとにユニークなＩＤ番号を採番してＩＣチップヘ書き込み、生カードのフォーマット加工を行うフォーマットシステム４と、発行されたＩＣカードに記録されているＩＣカード情報やＩＤ番号を登録・管理するＩＤ管理システム５とによって構成されている。また、図１のシステム構成のうち、クレジットカードシステム２とカードベンダ３とフォーマットシステム４とＩＤ管理システム５はクレジットカードやプリペイドカードの運営者側の端末装置である駅務機器であってもよいし、カードベンダ３とフォーマットシステム４はＩＣカードの製造業者に委託するシステム形態であってもよい。
【００１９】
図１において、先ず、顧客１が、郵便やインターネットや駅の店頭などで通常のクレジットカードとしての入会手続きの申し込みを行うと（ステップＳ１）、クレジットカードシステム２は、通常のクレジットカードの手続きによって顧客１が申し込んだクレジットカードの入会審査と申込書データの登録を行う（ステップＳ２）。一方、カードベンダ３は、ＩＣチップとカード情報の送受信を行うアンテナとを購入し、これらのＩＣチップとアンテナをプラスチックなどのカードに搭載して情報の未記録な生カードを作成し、その生カードをフォーマットシステム４へ引き渡す（ステップＳ３）。
【００２０】
次に、フォーマットシステム４は、取得した生カードの一枚ごとにユニークなＩＤ番号を採番してＩＣチップヘ書き込み、生カードのフォーマット加工を行う。このとき、生カード一枚ごとのＩＤ番号はＩＤ管理システム５に登録される（ステップＳ４）。また、ＩＤ番号が書き込まれた生カードは１次発行カードとしてカードベンダ３にストックされる（ステップＳ５）。その後、カードベンダ３は、クレジットカードシステム２によって審査を終えたクレジットカードの申込書データを取得し、ＩＤ番号を採番した生カードの磁気ストライプに対してクレジット情報のデータを書き込むと共に、ＩＣチップに対してクレジット情報及びＩＣカード情報のデータ書き込み、最終的な形態のＩＣカードを発行する（ステップＳ６）。これによって、クレジット機能を備えたＩＣカーいが発行され、クレジット情報は磁気ストライプからでもＩＣチップからでも読み取ることができる。
【００２１】
カードベンダ３は、上記のようにして発行された最終形態のＩＣカードを顧客１に対して郵便などによって発送する（ステップＳ７）。さらに、カードベンダ３は、顧客１へ発送したＩＣカードのＩＤ番号やクレジットカード番号データやエラーデータなどのクレジット情報及びＩＣカード情報をＩＤ管理システム５へ送信して登録しておく（ステップＳ８）。このようなクレジット情報及びＩＣカード情報をＩＤ管理システム５に登録することにより、プリペイドで乗車料金を精算するためにＩＣカードを利用することや、クレジットによってＩＣチップヘ金額情報をチャージしたり決済したりすることが可能になる。
【００２２】
さらに、ＩＤ管理システム５からクレジットカードシステム２ヘクレジット情報とリンクしたＩＤ番号を通知し、クレジットカードシステム２へＩＤ番号の登録を行う（ステップＳ９）。これによって、クレジットカードシステム２とＩＤ管理システム５の双方でＩＤ番号とクレジット情報の管理を行うことができる。また、このようにしてクレジットカードシステム２とＩＤ管理システム５でＩＤ番号とクレジット情報を管理することによって、ＩＣカードを紛失したり、ＩＣカードの有効期限切れなどによってカードの更新を行う場合でも、ＩＣカードにチャージされている金額情報残高を保障して新たなＩＣカードを再発行することができる。
【００２３】
次に、クレジット機能を備えたＩＣカードを紛失した場合に、顧客に対して新たなＩＣカードを再発行するときの処理の流れを説明する。図２は、紛失等によりクレジット機能を備えたＩＣカードを再発行する場合の処理の流れを示すシステムフロー図である。図２におけるシステム構成は、図１の構成に対して駅構内の各所に配置されている自動改札機やカード発売機や定期券発売機などの駅務機器６が追加された構成となっている。顧客１は、自己が所持していたクレジット機能を備えたＩＣカードを紛失すると、電話などによって、紛失したＩＣカードのＩＤ番号などをカード運営者側のクレジットカードシステム２に通知して紛失届を行う（ステップＳ１１）。クレジットカードシステム２は、紛失したＩＣカードのＩＤ番号などを抹消して該当するＩＣカードの紛失登録を行うと共に、新規のＩＣカードの再発行登録を行う（ステップＳ１２）。
【００２４】
その後、カードベンダ３は、クレジットカードシステム２から、ＩＣカードの再発行データと、紛失したＩＣカードのＩＤ番号に対応するＩＣカードデータ及び金額情報のチャージ残高データを取得する。そして、カードベンダ３は、新たにＩＤ番号を採番した生カードの磁気ストライプに対してクレジット情報を書き込むと共に、取得したＩＣカードデータ及び金額情報のチャージ残高データをＩＣチップヘ書き込む（ステップＳ１６）。また、磁気ストライプに書き込んだクレジット情報のコピーをＩＣチップにも書き込み、クレジット情報を磁気ストライプとＩＣチップの何れからでも読み取れるようにする。
【００２５】
さらに、カードベンダ３からＩＤ管理システム５へ、紛失したＩＣカードのＩＤ番号に対応するＩＣカードデータのネガデータ（コピー）及び金額情報のチャージ残高データを送信する（ステップＳ１７）。すると、ＩＤ管理システム５は、駅構内の各所に設置されている自動改札機やカード発売機定期券発売機などの駅務機器６に対して、紛失されたＩＣカードに関するＩＣカードデータのネガデータを配信すると共に、これから再発行しようとする新規のＩＣカードヘ金額情報のチャージ残高データが書き込めるように指示情報を送信する（ステップＳ１８）。これによって、駅務機器６は、紛失されたＩＣカードの受付けを無効にすると共に、新規のＩＣカードヘ金額情報のチャージ残高データが書き込めるような配信準備を行う。
【００２６】
一方、カードベンダ３は、前述のステップＳ１６で行った処理、つまり、磁気ストライプに対してクレジット情報を書き込み、ＩＣチップに対してカード再発行データとＩＣカードデータと金額情報のチャージ残高データとクレジット情報を書き込んだ処理によって、最終形態のＩＣカードを再発行し、このＩＣカードを郵便などによって顧客１へ発送する（ステップＳ１９）。
【００２７】
さらに、カードベンダ３は、顧客１へ送付したＩＣカードのＩＤ番号やクレジットカード番号データやエラーデータなどのクレジット情報及びＩＣカード情報をＩＤ管理システム５へ送信して登録しておく（ステップＳ２０）。このようなクレジット情報及びＩＣカード情報をＩＤ管理システム５に登録することにより、プリペイドで乗車料金の精算を行うためにＩＣカードを利用することや、クレジットによってＩＣチップヘ金額情報をチャージしたり決済したりすることが可能になる。また、ＩＤ管理システム５からクレジットカードシステム２ヘクレジット情報とリンクしたＩＤ番号を通知し、クレジットカードシステム２へＩＤ番号の登録を行う（ステップＳ２１）。これによって、クレジットカードシステム２とＩＤ管理システム５の双方でＩＤ番号とクレジット情報の管理を行うことができる。
【００２８】
上記のような処理が行われた後、顧客１は、再発行されたＩＣカードを取得して駅で利用する場合、そのＩＣカードを自動改札機やカード発売機や定期券発売機などの駅務機器６に挿入すれば、ＩＣチップに書き込まれている金額情報のチャージ残高データに基づいて乗車券の精算を行うことができると共に、精算によって更新されたチャージ残高データがＩＣチップに書き込まれる（ステップＳ２２）。さらに、駅務機器６からＩＤ管理システム５へＩＣカードの最新のチャージ残高の配信が行われ、ＩＤ管理システム５によってＩＣカードのチャージ残高が管理される（ステップＳ２３）。なお、上記の例では、再発行されたＩＣカーいがチャージ残高を受け継ぐ方式としたが、再発行されたＩＣカードのチャージ残高はゼロとし、紛失にかかるＩＣカードを無効とすると同時に、そのチャージ残高をクレジットカードヘマイナス請求（いわゆる返金）することによって精算してもよい。
【００２９】
次に、有効期限切れによりクレジット機能を備えたＩＣカードを更新して再発行するときの処理の流れを説明する。図３は、有効期限切れによりクレジット機能を備えたＩＣカードを更新する場合の処理の流れを示すシステムフロー図である。図３におけるシステム構成は図２の場合と同じ構成であるのでその説明は省略する。
【００３０】
カードベンダ３は、ＩＣチップとカード情報の送受信を行うアンテナとを購入し、これらのＩＣチップとアンテナをプラスチックなどのカードに搭載して情報の未記録な生カードを作成し、その生カードをフォーマットシステム４へ引き渡す（ステップＳ３１）。フォーマットシステム４は、取得した生カードの一枚ごとにユニークなＩＤ番号を採番してＩＣチップヘ書き込み、生カードのフォーマット加工を行う。このとき、生カード一枚ごとのＩＤ番号はＩＤ管理システム５に登録される（ステップＳ３２）。また、ＩＤ番号が書き込まれた生カードは１次発行カードとしてカードベンダ３にストックされる（ステップＳ３３）。このようにして、カードベンダ３はＩＣカードの有効期限切れに備えてあらかじめ生カードを作り込んでおく。
【００３１】
一方、クレジットカードシステム２は、たとえば１ヶ月ごとにクレジット機能を備えたＩＣカードの有効期限をチェックして、該当するＩＣカードの更新処理をマンスリー処理で行う。そして、クレジットカードシステム２からカードベンダ３へ、更新処理すべきＩＣカードの更新データとＩＣカードデータと金額情報のチャージ残高データを送信する（ステップＳ３４）。これによって、カードベンダ３は、新たにＩＤ番号を採番した生カードの磁気ストライプに対してクレジット情報を書き込むと共に、取得した更新データとＩＣカードデータとをＩＣチップヘ書き込む。この時点では、金額情報（チャージ残高）に対して何ら処理を行わない。尚、磁気ストライプに書き込んだクレジット情報のコピーをＩＣチップにも書き込み、クレジット情報を磁気ストライプとＩＣチップの何れからでも読み出せるようにする。
【００３２】
さらに、カードベンダ３からＩＤ管理システム５へ、更新するＩＣカードのＩＤ番号に対応するＩＣカードデータのネガデータ（コピー）及び金額情報のチャージ残高データを送信する（ステップＳ３５）。  ＩＤ管理システム５は、ＩＣカードの有効期限が切れた時点で、駅構内の各所に設置されている自動改札機やカード発売機や定期券発売機などの駅務機器６に対して、更新対象のＩＣカードに関するＩＣカードデータのネガデータを配信する（ステップＳ３６）。これによって、駅務機器６は、有効期限切れとなったＩＣカード付きクレジットカードの受付を無効にする。
【００３３】
一方、カードベンダ３は、前述のステップＳ３４で行った処理、つまり、磁気ストライプに対してクレジット情報を書き込み、ＩＣチップに対してカード更新データとＩＣカードデータとクレジット情報を書き込む処理によってＩＣカードの更新を行い、更新されたＩＣカードを郵便などによって顧客１へ発送する（ステップＳ３７）。なお、新たに発行されたクレジットカードは、一般に発行と同時に有効となるため、発行後利用者の手元に届いた新しいクレジットカードと有効期限切れ直前のクレジットカードとが併存する時期が生じるが、前述の期限切れカードの無効処理を条件として新カードを有効化する方式としても良い。
【００３４】
さらに、カードベンダ３は、顧客１へ送付したＩＣカードのＩＤ番号やクレジットカード番号データやエラーデータなどのクレジット情報及びＩＣカード情報をＩＤ管理システム５へ送信して登録しておく（ステップＳ３８）。このようなクレジット情報及びＩＣカード情報をＩＤ管理システム５に登録することにより、プリペイドで乗車料金の精算を行うためのＩＣカードとしての利用や、ＩＣカードヘクレジットで金額情報をチャージしたり決済したりすることが可能となる。
【００３５】
また、ＩＤ管理システム５は、あるいは、旧ＩＣカードの有効期限切れ時点で、駅務機器６へ更新後のＩＣカードのＩＤ番号等の情報を送信する（ステップＳ３９）。これによって、駅務機器６は、更新前のＩＣカードの受付を無効にすると共に、期限切れの時点でチャージ残高を読み取り、金額データを配信可能な状態とする。
【００３６】
また、ＩＤ管理システム５は、有効期限切れ時点で、クレジットカードシステム２へ更新後のＩＣカードのＩＤ番号を通知するとともに、その時点におけるチャージ残高の情報を配信する（Ｓ４０）。このようにして、クレジットカードシステム２はクレジット情報とノノンクしたＩＤ番号の登録を行う。この実施形態では、前記チャージ残高を新しいＩＣカードに引き継がせることなく、クレジットカードに対するマイナス請求（いわゆる返金）データとして処理がなされる。
【００３７】
上記のような処理が行われた後、顧客１が更新されたＩＣカードを取得して駅で利用する場合は、そのＩＣカードを駅務機器６に挿入して、新たに所定金額をチャージすれば、ＩＣチップに新たなチャージ残高が書き込まれ、その後は、通常の使用と同様、このチャージ残高データに基づいて乗車券の精算を行うことができる（ステップＳ４１）。さらに、駅務機器６からＩＤ管理システム５へＩＣカードの最新のチャージ残高の配信が行われ、ＩＤ管理システム５によってＩＣカードのチャージ残高が管理される（ステップＳ４２）。
【００３８】
尚、前述のように、旧ＩＣカードと更新されたＩＣカードが併存する場合において、チャージ残高をクレジットカードの請求金額にて精算する方式に代えて、顧客が、任意の時期に、旧ＩＣカードと更新されたＩＣカードの両ＩＣカードを駅務機器６等の読み書き装置に挿入して旧ＩＣカードのＩＣチップに記録されている残高を更新されたＩＣカードのＩＣチップヘ転送してチャージする方式としても良い。このような旧カードから新カードヘのデータ転送処理は、特に、ＩＣカードに定期券データが記録されている場合に、その定期券としての有効期間内での使用を妨げることなく、旧カードから新カードヘ移行させることができる。
【００３９】
次に、顧客がクレジット機能を備えたＩＣカードを有効期限内に解約するときの処理の流れを説明する。図４は、クレジット機能を備えたＩＣカードを途中で解約する場合の処理の流れを示すシステムフロー図である。図４におけるシステム構成は、図２の構成に対して、乗車券などの売上収支の管理を行う駅収入管理システム７と、チャージ残高の返金を行う金融機関８が追加された構成となっている。
【００４０】
図４において、顧客１は、所持しているクレジット機能を備えたＩＣカードを有効期限内の解約する場合、電話などにより、ＩＣカードを解約したい旨の連絡をクレジットカードシステム２に対して行う（ステップＳ５１）。すると、クレジットカードシステム２は、ＩＣカードの解約の受付けを行い、顧客１に対して郵便などによって解約用紙を送付する（ステップＳ５２）。顧客１は、解約用紙に氏名やＩＣカードのＩＤ番号などを記入してクレジットカードシステム２へ返送する（ステップＳ５３）。
【００４１】
これによって、クレジットカードシステム２は、ＩＣカードの解約登録を行った後、ＩＤ管理システム５に対して、解約するＩＣカードのＩＣカードデータとチャージ残高データを送信する（ステップＳ５４）。ＩＤ管理システム５は、駅構内の各所に設置されている自動改札機やカード発売機や定期券発売機などの駅務機器６に対して、解約されたＩＣカードのＩＣカードデータのネガデータを配信する（ステップＳ５５）。これによって、駅務機器６は、解約されたＩＣカードの受付けを無効にする。
【００４２】
また、ＩＤ管理システム５は、解約されたＩＣカードにチャージ残高がある場合は、チャージ残高データをクレジットカードシステム２へ送信する。このとき、ＩＤ管理システム５は、手数料金額などを差し引いた実際の払戻し金額の情報をクレジットカードシステム２へ送信する（ステップＳ５６）。クレジットカードシステム２は、金融機関８に対して、受信したチャージ残高データ（つまり、ネットの払戻し金額）に基づいて残高の払戻しを行うための手続きを行う（ステップＳ５７）。これによって、顧客１は、金融機関８のＡＴＭから、解約したＩＣカードの残高を出金することができる（ステップＳ５８）。また、ＩＤ管理システム５は、駅収入管理システムロこ対して顧客１に支払った支払金額や手数料金額のデータを送信し、駅収入管理システム７が収支決済情報を管理する（ステップＳ５９）。
なお、この解約処理の技術を適用して、前述の更新に伴う旧ＩＣカードのチャージ残高の精算を行うことができる。すなわち更新に伴って期限切れとなる旧ＩＣカードの有効期限切れの時点で、あるいは、ユーザが旧ＩＣカードを破棄するなどに伴って使用を停止する旨の意志表示をした時点で、その時点における金額データ（残高）を返金データとしてクレジットカードの請求金額から減算し、あるいはユーザヘ返金（あるいは請求額との相殺）することで精算を行うこととし、更新後のＩＣカードヘ積極的に残高を書き込む処理を伴わない方式としてもよい。
【００４３】
尚、上記で述べたような乗車券のプリペイドを行うＩＣカードとは別にＩＣカード定期券も普及され始めている。このようなＩＣカード定期券は、定期券としての機能と、ＩＣカードの乗車券プリペイド機能の両機能を備えた便利なカードである。さらに、上記の実施の形態で説明したクレジット機能を有するＩＣカードと同様に、ＩＣカード定期券にクレジット機能を付加したクレジット機能付ＩＣカード定期券を実現することもできる。このようなクレジット機能付ＩＣカード定期券を用いても、定期券としての機能をそそまま生かしながら、ＩＣカードによる乗車券のプリペイド機能やクレジットによってＩＣチップヘ金額情報のチャージを行うこともできる。
【００４４】
図５は、クレジット機能付ＩＣカードまたはクレジット機能付ＩＣカード定期券を利用する場合の処理の流れを示すフローチャートである。クレジット機能付ＩＣカードとクレジット機能付ＩＣカード定期券との何れを利用する場合も、ＩＣチップ部分による乗車券のプリペイド機能は同じであるので、以下の説明ではクレジット機能付ＩＣカード定期券を利用した場合の処理の流れを説明する。
【００４５】
図５のシステム構成は、クレジット機能付ＩＣカード定期券で乗車券等を購入する顧客１１と、クレジット機能付ＩＣカード定期券の情報を読み書きする読み書き装置１６を有した乗車券予約端末１５を備える駅窓口１２と、複数の乗車券予約端末１５を接続してそれらの乗車券予約端末１５から受信した情報に基づいて乗車券の予約などを行う乗車券予約システム１３と、クレジットカードの入会審査で取得した顧客情報を保管・管理しているクレジットカードシステム１４とによって構成されている。
【００４６】
顧客１１が乗車券等を購入するために駅窓口１２ヘクレジット機能付ＩＣカード定期券を提出すると、クレジット機能付ＩＣカード定期券のＩＣチップに記録されているクレジット情報が、乗車券予約端末１５の読み書き装置１６によって読み取られる（ステップＳ６１）。すると、乗車券予約端末１５は、読み取ったクレジット情報に基づいて、信用による売掛け情報（以下、与信という）と顧客が購入希望した売上情報を与信・売上情報として上位装置である乗車券予約システム１３へ送信する（ステップＳ６２）。さらに、乗車券予約システム１３は、受信した与信・売上情報をクレジットカードシステム１４に送信する（ステップＳ６３）。
【００４７】
クレジットカードシステム１４は、あらかじめクレジットカードの入会審査で取得している顧客情報に基づいて、受信した与信・売上情報が正当なものであるか否かを判断して、与信・売上情報が正当なものであれば乗車券予約システム１３へ与信ＯＫの情報を送信する（ステップＳ６４）。さらに、乗車券予約システム１３は、顧客１１が乗車券等を購入するために利用している乗車券予約端末１５へ与信ＯＫの情報を送信する（ステップＳ６５）。これによって、読み書き装置１６は、顧客１１が提出したクレジット機能付ＩＣカード定期券のＩＣチップヘ顧客１１が購入希望した金額情報を書き込む。そして、所望の金額情報がチャージされたクレジット機能付ＩＣカード定期券を顧客１１に返却する（ステップＳ６６）。
【００４８】
このようにして、顧客１１が提出したクレジット機能付ＩＣカード定期券のＩＣチップに記録されているクレジット情報に基づいて、乗車券予約端末１５から乗車券予約システム１３を経由してクレジットカードシステム１４へ与信を行う。
そして、クレジットカードシステム１４が判定した与信結果に基づいて、乗車券予約端末１５の読み書き装置１６が、クレジット機能付ＩＣカード定期券のＩＣチップヘ乗車券情報に換算できる金額情報を書き込んで顧客１１に渡す。これによって、顧客１１は、現金支払いを行わなくてもクレジット支払いによってクレジット機能付ＩＣカード定期券に金額情報をチャージして利用することができる。
尚、これらの処理によってクレジット機能付ＩＣカード定期券に金額情報がチャージされた場合でも、定期券の利用期間や乗車区間には全く変更は生じない。
【００４９】
また、顧客１１が、駅窓口１２に行かないで駅構内の駅務機器によってクレジット機能付ＩＣカード定期券に金額情報をチャージする場合は、クレジット機能付ＩＣカード定期券を駅構内の定期券発売機１７へ挿入する。すると、定期券発売機１７の読み書き装置１６が、クレジット機能付ＩＣカード定期券のＩＣチップに記録されているクレジット情報を読み取る（ステップＳ６７）。そして、定期券発売機１７が、読み取ったクレジット情報に基づいてクレジットカードシステム１４へ与信を行う（ステップＳ６８）。定期券発売機１７は、クレジットカードシステム１４が判定した与信ＯＫの情報を受信し（ステップＳ６９）、読み書き装置１６によってクレジット機能付ＩＣカード定期券のＩＣチップヘ金額情報を書き込み、所望の金額情報がチャージされたクレジット機能付ＩＣカード定期券を顧客１１に渡す（ステップＳ７０）。
【００５０】
図６は、クレジット機能付ＩＣカード及びクレジット機能付ＩＣカード定期券を利用する場合の具体的なシステム構成図である。クレジット機能付ＩＣカード２１やクレジット機能付ＩＣカード定期券２２は、クレジットカード端末２３に挿入してクレジット決済によるショッピングを行うことができるし（ａ１）、ＡＴＭ２４によってクレジット決済による取引やクレジット決済による残高チャージを行うこともできる（ａ２）。さらに、乗車券予約端末２５によってクレジット機能付ＩＣカード定期券を発行したり（ａ３）、クレジット決済によって乗車券や指定券などを購入することもできる（ａ４）。
【００５１】
また、クレジット機能付ＩＣカード２１やクレジット機能付ＩＣカード定期券２２は、自動改札機２６によってカード残高を自動チャージすることもできる（ａ５）。さらに、定期券発売機２７によってクレジット機能付ＩＣカード定期券を発行したり（ａ６）、クレジット決済によって継続定期券の購入を行うことができる（ａ７）。また、カード発売機２８によってクレジット決済による残高チャージを行うことができる（ａ８）。尚、これらの処理は、情報処理センタ３２や乗車券予約ホスト装置２９やＩＤ管理システムの駅サーバ３０及びセンタサーバ３１や駅収入管理システム３４やカードシステム３３を介して行われる。また、各装置間を伝送する情報の制御は通信制御装置３５によって行われる。なお、定期券データをＩＣカードに記録する場合、前述の再発行処理、あるいは有効期間の更新処理に準じて、紛失あるいは有効期限切れカードの定期券データを新カードヘ転送すれば良い。
【００５２】
【発明の効果】
以上説明したように、本発明のＩＣカードによれば、一枚のカードにプリペイド機能とクレジット機能が一体化されているので、駅構内などで１枚のカードを利用するだけで、プリペイドによる乗車料金の精算やクレジットによる乗車券や指定券などの購入を行うことができると共に、クレジットによってＩＣカードヘ金額情報をチヤージすることができる。また、一枚のＩＣカードで処理を行っているので、１回の操作で金額情報の書き換えやクレジットの決済や乗車券・定期券などの購入を一括して行うことができる。しかも、駅構内に既設されている自動改札機や定期券発売機やカード発売機や乗車券予約端末などの駅務機器をそのまま利用して、プリペイドによる乗車料金の精算やクレジットによる金額情報のチャージや決済などを行うことができる。
【００５３】
また、本発明のＩＣカードによれば、プリペイド型のＩＣカードにクレジット機能が一体化されているので、ＩＣカードを紛失したときには、クレジット機能の利用停止を行うことによってＩＣカードのチャージ残高を保障することができる。さらには、クレジット機能の有効期限に合わせてＩＣカードのバージョンアップの切り替えをスムーズに行うことができるので、それぞれの顧客が所有しているＩＣカードの有効期限に応じて逐次バージョンアップを行うことができる。
【図面の簡単な説明】
【図１】  顧客に対してクレジット機能を備えたＩＣカードを新規に発行する場合の処理の流れを示すシステムフロー図である。
【図２】  紛失等によりクレジット機能を備えたＩＣカードを再発行する場合の処理の流れを示すシステムフロー図である。
【図３】  有効期限切れによりクレジット機能を備えたＩＣカードを更新する場合の処理の流れを示すシステムフロー図である。
【図４】  クレジット機能を備えたＩＣカードを途中で解約する場合の処理の流れを示すシステムフロー図である。
【図５】  クレジット機能付ＩＣカードまたはクレジット機能付ＩＣカード定期券を利用する場合の処理の流れを示すフローチャートである。
【図６】  クレジット機能付ＩＣカード及びクレジット機能付ＩＣカード定期券を利用する場合の具体的なシステム構成図である。
【符号の説明】
１，１１…顧客、２，１４…クレジットカードシステム、３…カードベンダ、４…フォーマットシステム、５…ＩＤ管理システム、６…駅務機器、７…駅収入管理システム、８…金融機関、１２…駅窓口、１３…乗車券予約システム、１６…読み書き装置、１７…定期券発売機、２１…クレジット機能付ＩＣカード、２２…クレジット機能付ＩＣカード定期券、２３…クレジットカード端末、２４…ＡＴＭ、２５…乗車券予約端末、２６…自動改札機、２７‥定期券発売機、２８…カード発売機、２９…乗車券予約ホスト装置、３０…駅サーバ、３１…センタサーバ、３２…情報処理センタ、３３…カードシステム、３４…駅収入管理システム、３５…通信制御装置
【図１】
0003924200.tif 000002
【図２】
0003924200.tif 000003
【図３】
0003924200.tif 000004
【図４】
0003924200.tif 000005
【図５】
0003924200.tif 000006
【図６】
0003924200.tif 000007